(57)【特許請求の範囲】
【請求項１】
フロアマットを固定するためフロアカーペットへ取付けられるフロアマット用止め具であって、フロアマットを係止するピンと、フロアカーペットの表面上に置かれる表側抑え部と、フロアカーペットの裏側へ入り込む裏側抑え部とを備え、表側抑え部と裏側抑え部との間でフロアカーペットを挟持するよう構成した止め具において、
前記裏側抑え部は、表側抑え部の裏面に所定間隔を持って略平行する固定挟み部と、この固定挟み部に対して折り曲げ自在のヒンジ部を介して連結される可動挟み部とを備え、固定挟み部及び可動挟み部の各ヒンジ部側と反対側の端部が自由端をなし、かつこれら固定挟み部、可動挟み部及びヒンジ部が一体に形成されるとともに、
この可動挟み部を固定挟み部に対して折り曲げるためのつまみ部を設け、
このつまみ部を表側抑え部側へ係脱自在にしたことを特徴とするフロアマット用止め具。
【請求項２】
前記ピンに長さ方向のスリットを形成し、このスリットへ嵌合自在なピン嵌合部を設け、このピン嵌合部を前記つまみ部としたことを特徴とする請求項１に記載したフロアマット用止め具。
【請求項３】
前記つまみ部とピンがそれぞれフロアカーペット表面から直立する起立状態とフロアカーペット表面と略平行する倒した状態とに変化するとともに、
前記つまみ部とピンをそれぞれ反対側へ倒して固定挟み部及び可動挟み部の各自由端を接近させるとそれぞれが下方へ延びて取付穴へ差し込み可能な差し込み状態になり、かつ表側抑え部がフロアカーペット上に略直交する状態となり、
固定挟み部及び可動挟み部を取付穴へ差し込んでから、前記つまみ部とピンをそれぞれを起立させると、表側抑え部がフロアカーペット上へ倒れ、かつフロアカーペットの裏側で固定挟み部及び可動挟み部の各自由端が互いに離れるように開いて固定挟み部及び可動挟み部が表側抑え部と略平行になることを特徴とする請求項１又は２に記載したフロアマット用止め具。
【発明の詳細な説明】
【０００１】
【発明の属する技術分野】
この発明は自動車のフロアマットを固定するため、予め自動車の床面に敷かれているフロアカーペットへ取付けられる止め具の構造に関する。
【０００２】
【従来の技術】
実開平７−３３７３７号には、フロアカーペット上へ取付けられる樹脂製の表側抑え部と、その裏面（取付時下方側となる面をいう）へ一体に略ループ状部を設け、取付時にはこのループ状部を細長くしてフロアカーペットの穴へ入れ、その後、このループ状部を床面へ押しつけることにより、扁平につぶして表側抑え部との間にフロアカーペットを挟むようになっている。また、ループ状部を差し込む方向へ細長くしたとき先端となる部分内側に矢形の係合突部を設け、これが係合する係合凹部を表側抑え部の裏側でループ状部内側に設けてある。
【０００３】
【発明が解決しようとする課題】
ところで、上記従来例の場合、取付時に取付穴へ差し込めるようにループ状部を細長くするため、この分だけフロアカーペットを大きくめくって床面から離さなければならない。しかし、このようにフロアカーペットをめくることは実際上困難であり、仮にできたとしても、その後きれいにフロアカーペットを敷き直さなければならないので、止め具の取付け作業に多くの時間を要する。本願発明の目的はこの問題を解決して取付容易な止め具を提供することにある。
【０００４】
【課題を解決するための手段】
上記課題を解決するため本願のフロアマット用止め具に係る第１の発明は、フロアマットを固定するためフロアカーペットへ取付けられるフロアマット用止め具であって、フロアマットを係止するピンと、フロアカーペットの表面上に置かれる表側抑え部と、フロアカーペットの裏側へ入り込む裏側抑え部とを備え、表側抑え部と裏側抑え部との間でフロアカーペットを挟持するよう構成した止め具において、
前記裏側抑え部は、表側抑え部の裏面に所定間隔を持って略平行する固定挟み部と、この固定挟み部に対して折り曲げ自在のヒンジ部を介して連結される可動挟み部とを備え、固定挟み部及び可動挟み部の各ヒンジ部側と反対側の端部が自由端をなし、かつこれら固定挟み部、可動挟み部及びヒンジ部が一体に形成されるとともに、
この可動挟み部を固定挟み部に対して折り曲げるためのつまみ部を設け、
このつまみ部を表側抑え部側へ係脱自在にしたことを特徴とする。
【０００５】
第２の発明は、上記第１の発明において、前記ピンに長さ方向のスリットを形成し、このスリットへ嵌合自在なピン嵌合部を設け、このピン嵌合部を前記つまみ部としたことを特徴とする。
【０００６】
第３の発明は、上記第１又は第２の発明において、前記つまみ部とピンがそれぞれフロアカーペット表面から直立する状態とフロアカーペット表面と略平行する倒した状態とに変化するとともに、
前記つまみ部とピンをそれぞれ反対側へ倒して固定挟み部及び可動挟み部の各自由端を接近させるとそれぞれが下方へ延びて取付穴へ差し込み可能な差し込み状態になり、かつ表側抑え部がフロアカーペット上に略直交する状態となり、
固定挟み部及び可動挟み部を取付穴へ差し込んでから、前記つまみ部とピンをそれぞれを起立させると、表側抑え部がフロアカーペット上へ倒れ、かつフロアカーペットの裏側で固定挟み部及び可動挟み部の各自由端が互いに離れるように開いて固定挟み部及び可動挟み部が表側抑え部と略平行になることを特徴とする。なお本願において起立とは、フロアカーペット表面に対して、略平行に倒した状態から直立する状態に向かって起こす動作をいうものとし、起立状態には直立状態を含むものとする。
【０００７】
【発明の効果】
第１の発明によれば、表側抑え部の裏面に所定間隔を持って略平行する固定挟み部と、この固定挟み部に対して折り曲げ自在のヒンジ部を介して連結される可動挟み部とを備え、固定挟み部及び可動挟み部の各ヒンジ部側と反対側の端部が自由端をなし、かつこれら固定挟み部、可動挟み部及びヒンジ部が一体に形成されるとともに、
この可動挟み部を固定挟み部に対して折り曲げるためのつまみ部を設け、
このつまみ部を表側抑え部側へ係脱自在にとし、かつ可動挟み部をつまみ部により回動操作するようにしたので、取付時にはつまみ部により、可動挟み部を回動させて固定挟み部及び可動挟み部を差し込み状態にして各自由端側をフロアカーペットに設けた取付穴内へ入れ、その後可動挟み部を固定挟み部と各自由端の離反方向へ回動させると、可動挟み部及び固定挟み部がフロアカーペットの裏側へ入って表側抑え部側へ回動し、フロアカーペットを表側抑え部と可動挟み部及び固定挟み部との間で挟む。そこで、つまみ部を表側抑え部側へ係合すれば、止め具はフロアカーペット上へ固定される。
【０００８】
このとき、裏側抑え部は自由端を有するので、この自由端をフロアカーペットの取付穴内へ入れることにより、フロアカーペットを特別に大きくめくることなく、可動挟み部を回動させながら差し込むことができ、その結果、取付けがきわめて容易迅速になる。
【０００９】
しかも、つまみ部を設けたので、可動挟み部の回動操作ができ、かつつまみ部を表側抑え部側へ係合することにより、フロアカーペットを挟む状態で可動挟み部の回動状態を維持できる。なお、本願において表側抑え部側とは表側抑え部自体並びにピンを含む部分を指称し、つまみ部は表側抑え部自体又はピンへ係合させることができる。
【００１０】
第２の発明によれば、ピンに長さ方向のスリットを形成し、このスリットへ嵌合自在なピン嵌合部を設けたので、使用状態ではつまみ部をピンと一体化することにより外観を向上させることができ、かつ嵌合状態を目視確認することにより、フロアカーぺットに対する止め具の取付状態を容易迅速に把握できるので、取付作業の作業性並びに信頼性が向上する。
【００１１】
第３の発明によれば、つまみ部とピンがそれぞれフロアカーペット表面から直立する状態とフロアカーペット表面と略平行する倒した状態とに変化するので、つまみ部とピンをそれぞれ反対側へ倒して固定挟み部及び可動挟み部の各自由端を接近させるとそれぞれが下方へ延びて取付穴へ差し込み可能な差し込み状態になり、かつ表側抑え部がフロアカーペット上に略直交する状態となる。そこで、固定挟み部及び可動挟み部を各自由端側からフロアカーペットの取付穴へ差し込み、その後、つまみ部とピンをそれぞれを起立させると、表側抑え部がフロアカーペット上へ倒れ、かつフロアカーペットの裏側で固定挟み部及び可動挟み部の各自由端が互いに離れるように開いて固定挟み部及び可動挟み部が表側抑え部と略平行になって、フロアカーペットを表側抑え部との間で挟むことができる。このため、止め具のフロアカーペットに対する取付がより強固になり、かつピンを固定挟み部のつまみ部として利用できる。
【００１２】
【発明の実施の形態】
以下、図面に基づいて第１実施例を説明する。図１は止め具の取付前状態を示す図、図２は図１のＸ矢示図、図３はその平面視（図１のＹ矢示）図、図４は底面視（Ｙ矢示と反対方向から示す）図、図５は要部の嵌合関係を示す断面図、図６は使用状態を示す図、図７乃至図１１はそれぞれ取付時の各工程を示す断面図である。
【００１３】
まず図６により使用状態を説明する。この止め具１は自動車の床面２上に敷かれたフロアカーペット３に設けられた取付穴４を利用して取付けられる。止め具１を取付ける部分の床面２は凹部になっており、床面２とフロアカーペット３の間には若干の間隙５が形成されている。また、止め具１の取付位置は、シート６の先端張り出し部下方であって、その下方へ足に触らない程度の適当寸法Ｄ程度入り込んでいることが好ましい。
【００１４】
止め具１はフロアマット７をフロアカーペット３上へ固定するための部材であり、フロアマット７の端部にはハトメ状をしたマットリング８が設けられ、ここで後述する止め具１のピン１１へ着脱自在に係合するようになっている。
【００１５】
なお、フロアカーペット３及びフロアマット７の材料は公知の種々なものを使用でき、図示の場合はフロアカーペット３にニードルパンチ状のもの、フロアマット７に長繊維の起毛状をしたものが採用されている。
【００１６】
次に、図１乃至図５により止め具１の構造を説明する。止め具１はフロアカーペット３の表面へ取付けられる平面視大略４角形の表側抑え部１０、これから上方へ一体に突出形成されたピン１１、その先端部に形成された太径部１２を備え、ピン１１の一側には長さ方向にそってスリット１３が形成され、かつ太径部１２の付け根部には横断方向の貫通穴１４が形成されている。
【００１７】
図５のＡ部は、図１のＡ−Ａ線断面に相当し、この図に明らかなように、スリット１３はその先端が貫通穴１４内へ入り込むように貫通穴１４と交差し、スリット１３と貫通穴１４の交差する部分に係合角部１５が形成されている。
【００１８】
表側抑え部１０におけるピン１１の形成位置は、中央より長手方向の一端１０ａ側へ寄っており、他端１０ｂとピン１１との間には、他端１０ｂからスリット１３へ通じるように同じ幅の表側抑え部スリット１６が形成されている。この表側抑え部スリット１６は他端１０ｂ側に形成されたより間口幅の広い切り欠き部１７へ通じている（図３）。
【００１９】
表側抑え部１０の裏面（カーペット３へ接触する面）側でピン１１近傍部分には、固定側ボス１８が一体に形成され、ここに嵌合凹部１９が形成され、スリット１３の略延長上に重なる一側面１８ａに一端を開放されている。
【００２０】
固定側ボス１８からは一端１０ａ側へ向って表側抑え部１０と略平行に固定挟み部２０が一体に突出形成されている。固定挟み部２０の一端側は自由端２０ａをなし、若干表側抑え部１０側へ傾くように傾斜している。
【００２１】
固定挟み部２０の固定側ボス１８側端部は薄肉のヒンジ部２２を介して可動挟み部２３の一端部と連絡し、この可動挟み部２３の他端部も自由端２３ａをなし、固定挟み部２０の自由端２０ａと反対側に傾斜し、固定挟み部２０と可動挟み部２３は略ハの字状をなし、若干外開き形状になっているが、この図の状態では自由端２０ａと２３ａの開きはまだあまり大きくない。
【００２２】
これら固定挟み部２０の自由端２０ａ及び可動挟み部２３の自由端２３ａは、それぞれ固定側ボス１８が形成されている側の端部よりも寸法Ｌだけ長く突出している（図１）。Ｌはフロアカーペット３の厚さよりも若干長くなっている。なお、固定挟み部２０及び可動挟み部２３は、それぞれ裏側抑え部２４の一部をなしている。
【００２３】
可動挟み部２３からは固定側ボス１８に対応する可動側ボス２５が設けられ、この可動側ボス２５からは可動挟み部２３と反対側へ突出して嵌合凹部１９へ嵌合可能な突起２６が一体に形成され、さらにピン１１と反対方向へピン嵌合部２７が一体に延出形成されている。
【００２４】
ピン嵌合部２７はスリット１３へ嵌合して外観上ピン１１を一つの円柱状に見せるような寸法と形状をなす。その先端側には係合部２８が一体に形成され、さらにその先端側には肥大部３０が形成されている。
【００２５】
図５のＢ部は図１のＢ−Ｂ線断面に相当し、この図に明らかなように、係合部２８は略矢形をなして爪部２９を有し、ピン嵌合部２７がスリット１３へ嵌合するとき一緒に爪部が弾性変形しながらスリット１３内へ入り、ピン１１内の係合角部１５へ係合するようになっている。
【００２６】
肥大部３０もピン嵌合部２７がスリット１３へ嵌合したとき、太径部１２と一体化して外観上一つの大径部を形成する寸法と形状をなしている。なお、太径部１２はフロアマット７の抜け止めをなす部分である。
【００２７】
可動側ボス２５は取付時に表側抑え部１０の切り欠き部１７へ嵌合する寸法及び形状をなしている。表側抑え部１０の裏面端部にはフロアカーペット３へ食い込むための係止突起３１が突出形成されている。
【００２８】
この止め具１はヒンジ部２２における樹脂ヒンジ部効果が得られるようなポリプロピレン等適当な合成樹脂により全体が一体に形成される。
【００２９】
次に、使用方法を説明する。図７に示すように止め具１をフロアカーペット３の上へ横に倒して置き、自由端２０ａ及び自由端２３ａを取付穴４内へ入れる。このとき、、自由端２０ａ、同２３ａが寸法Ｌだけ表側抑え部１０の端部から突出しているので（図１）、表側抑え部１０の端部が取付穴４近傍のフロアカーペット３表面に当接するとともに、自由端２０ａ、同２３ａは取付穴４へ入ってからフロアカーペット３の下方へ出る。
【００３０】
そこで、ピン１１及びピン嵌合部２７を持って互いに近づけるようにそれぞれを起立させると、図８、図９に示すように自由端２０ａ、同２３ａが徐々に取付穴４内へ入り込み、かつ自由端２０ａ、同２３ａが外方へ開くので、固定挟み部２０及び可動挟み部２３が取付穴４内へ入り込み、フロアカーペット３の取付穴４周囲部分は表側抑え部１０と固定挟み部２０の間へ挟みこまれる。このとき、係止突起３１によりフロアカーペット３の取付穴４周囲部分が抜け出さない。
【００３１】
やがて、図１０（この図のみ特別に断面でしてある）に示すように、ピン嵌合部２７が表側抑え部スリット１６内へ入ると、ピン嵌合部２７と表側抑え部１０が交差する状態になり、さらに起立を続けると、ピン嵌合部２７がスリット１３へ嵌合して係合部２８の爪部２９がスリット１３内の係合角部１５へ係合し、かつ可動側ボス２５は切り欠き部１７内へ嵌合して、固定側ボス１８と合わされ、突起２６が嵌合凹部１９へ嵌合して図１１の取付完了状態となる。
【００３２】
このとき、自由端２０ａと同２３ａの各先端部が外開き状に傾斜しているため、表側抑え部１０の裏側でフロアカーペット３の取付穴４周囲部分を圧縮して挟み、かつ係止突起３１により抜け止めされる。
【００３３】
このため、止め具１はフロアカーペット３へ確実にかつ固定される。しかも、固定挟み部２０及び可動挟み部２３による狭持のためより取付が強固になる。また、それぞれの取付穴４内へ差し込まれる先端部は自由端２０ａ、同２３ａになっているので、取付穴４内へ入った段階から外方（表側抑え部１０へ接近する方向）へ開くことができ、その結果、取付穴４内へ当初に差し込む量を最小にできる。
【００３４】
そのうえ、取付穴４の周囲に対する挟みつけは、ピン１１及びピン嵌合部２７の起立動作だけでできるので、従来のようにフロアカーペット３を大きくめくり上げる必要がなくなり、フロアカーペット３に取付穴４を形成さえすれば容易迅速に取付できる。しかも、この取付穴４は比較的小さなものであるから、場所を選ばず任意に形成でき、その結果、取付場所の自由度が増す。
【００３５】
また、ピン１１とピン嵌合部２７をつまみ部として利用できるので、起立作業が容易であり、かつ係合部２８をピン１１へ係合するようにしたので、貫通穴１４の場所をピン１１の長さ方向で任意に設定でき、係合部を設けるときの自由度も大きくなる。
【００３６】
そのうえ、ピン嵌合部２７とスリット１３の嵌合部がフロアカーペット３表面側に露出しているので、嵌合状態を目視でき、取付作業の完了又は未完了をたちどころに判断できるから作業性並びに信頼性も増す。しかも、使用時にピン嵌合部２７をスリット１３へ嵌合するので、ピン１１と一体化することにより外観を向上させることができる。
【００３７】
なお、本願発明は上記実施例に限定されず、種々に変形可能であり、ピン嵌合部２７の係合部はピン１１のみならず、表側抑え部１０や固定側ボス１８等へ設けてもよい。
【００３８】
また、必ずしも固定挟み部２０を表側抑え部１０と一体かつ固定的に用いる必要はなく、固定挟み部２０及び可動挟み部２３をそれぞれ表側抑え部１０に対して起立可能に設けることができる。この場合、固定挟み部２０のつまみ部はピン１１を利用できないので、ピン１１と別体のつまみ部を表側抑え部１０に設けることになる。
【００３９】
さらに、固定挟み部２０側を省略して表側抑え部１０の裏面へヒンジ部２２を介して可動挟み部２３を取付けるようにし、可動挟み部２３と表側抑え部１０だけでフロアカーペット３を挟むようにしてもよい。
【００４０】
そのうえ、ピン嵌合部２７は必ずしもピン１１と組み合わせるようにしなくてもよく、ピン１１と別体にして表側抑え部１０へ設けることもできる。
【図面の簡単な説明】
【図１】  第１実施例の未使用時外観図
【図２】  図１のＸ矢示図
【図３】  図１のＹ矢示図
【図４】  図１のＹ方向と反対方向から示す図
【図５】  要部の嵌合関係を示す断面図
【図６】  使用状態を示す図
【図７】  取付工程を示す図
【図８】  同上図
【図９】  同上図
【図１０】同上図
【図１１】同上図
【符号の説明】
１：止め具、３：フロアカーペット、７：フロアマット、１０：表側抑え部、１１：ピン、１３：スリット、２０：固定挟み部、２０ａ：自由端、２２：ヒンジ部、２３：可動挟み部、２３ａ：自由端、２４：裏側抑え部、２７：ピン嵌合部、２８：係合部
【図１】
0003781906.tif 000002
【図２】
0003781906.tif 000003
【図３】
0003781906.tif 000004
【図４】
0003781906.tif 000005
【図５】
0003781906.tif 000006
【図６】
0003781906.tif 000007
【図７】
0003781906.tif 000008
【図８】
0003781906.tif 000009
【図９】
0003781906.tif 000010
【図１０】
0003781906.tif 000011
【図１１】
0003781906.tif 000012